(57)【要約】【目的】本発明は、便器の目標物放尿装置に関し、放尿する最適な場所に目標物を配置し、放尿すると温度が上昇して図形が消えたり／表れたり／変色表示したり動的に変化させ、人の注意を動的に向けさせると共に注意をそらさせないようにし、結果として周囲への飛散を防止することを目的とする。【構成】便器に人が放尿する際に、最適な放尿する場所の近傍に固定した目標物であって、目標物は凸状あるいはシート状あるいは板状で、かつ、目標物に向けて放尿されて目標物の温度が高くなると図形、記号、文字が浮き上がって表示、あるいは表示されていた図形、記号、文字が薄くないし消える、あるいは変色表示されるように構成する。【選択図】        図１
2018035649.tif 000002
【特許請求の範囲】
【請求項１】
人の放尿を周囲に飛散することなく受け取って収集する便器において、
前記便器に人が放尿する際に、最適な放尿する場所の近傍に固定した目標物であって、該目標物は凸状あるいはシート状あるいは板状で、かつ、該目標物に向けて放尿されて該目標物の温度が高くなると図形、記号、文字が浮き上がって表示、あるいは表示されていた図形、記号、文字が薄くないし消える、あるいは変色表示されるように構成したことを特徴とする便器の目標物放尿装置。
【請求項２】
前記目標物は、該目標物の外面、内部、内側、あるいは分散して温度が高くなると色が濃く、明度が高く、変色表示、および温度が低くなると色が薄くないし消え、明度が低くないし消え、変色表示、あるいは逆に、温度が低くくなると色が濃く、明度が高く、変色表示、および温度が高くなると色が薄くないし消え、明度が低くないし消え、変色表示される材料を印刷、塗布、混合したことを特徴とする請求項１記載の便器の目標物放尿装置。
【請求項３】
前記目標物の温度が高くあるいは低くなると図形、記号、文字の一部が消え、あるいは新たに表示され、あるいは表示されていたものが変色表示されることを特徴とする請求項１あるいは請求項２記載の便器の目標物放尿装置。
【請求項４】
前記目標物は、２８℃ないし３５℃の高い温度を超えると表示あるいは非表示あるいは変色表示となることを特徴とする請求項１から請求項３のいずれかに記載の便器の目標物放尿装置。
【請求項５】
前記目標物は、前記２８℃°ないし３５℃から、５℃ないし１０°以上低い温度になると非表示あるいは表示あるいは変色表示となることを特徴とする請求項４記載の便器の目標物放尿装置。
【請求項６】
人感センサを設け、人が放尿して退出したことを該人感センサが検出すると、水洗浄用ノズルから洗浄水を放出して前記目標物および放尿を洗い流し、該目標物の温度が低くなると元の状態に該目標物の表示を戻すことを特徴とする請求項１から請求項５のいずれかに記載の便器の目標物放尿装置。
【請求項７】
前記目標物は、着脱可能あるいは交換可能に固定したことを特徴とする請求項１から請求項６のいずれかに記載の便器の目標物放尿装置。
【発明の詳細な説明】
【技術分野】
【０００１】
本発明は、人が放尿する尿を周囲に飛散することなく受け取って収集する便器の目標物放尿装置に関するものである。
【背景技術】
【０００２】
従来、人（男性）が立った状態で、放尿して尿を収集する便器は、放尿する部分の周囲を囲んだ状態にして周囲に飛散しない構造となっている。
【０００３】
人（男性）はよそ見したり、考え事したりすることなどがあり、時として放尿の方向がずれて周囲に飛散して汚してしまうということがある。
【０００４】
この事態を予防するために、「一歩前にでて用を足してください。」などの張り紙が行われることがある。
【０００５】
また、便器に放尿する最適の位置の近傍にハチなどの図形を便器に焼き付けて、この部分に向けて放尿することを促す工夫もされている。
【発明の開示】
【発明が解決しようとする課題】
【０００６】
しかし、上述した張り紙によるメッセージや、放尿する最適な位置に図形を焼き付けておくなどの工夫をしても、最初は人（男性）の注意を引くが慣れてしまうと無頓着になってしまい、放尿が飛散して周囲を汚してしまうという問題があった。
【課題を解決するための手段】
【０００７】
本発明は、これらの問題を解決するために、放尿する最適な場所に目標物を配置し、放尿すると温度が上昇して図形が消えたり／見えたり／変色したり動的に変化させ、人の注意を動的に向けさせると共に注意をそらさせないようにし、結果として周囲への飛散を防止することを目的としている。
【０００８】
そのため、本発明は、人の放尿を周囲に飛散することなく受け取って収集する便器において、便器に人が放尿する際に、最適な放尿する場所の近傍に固定した目標物であって、目標物は凸状あるいはシート状あるいは板状で、かつ、目標物に向けて放尿されて目標物の温度が高くなると図形、記号、文字が浮き上がって表示、あるいは表示されていた図形、記号、文字が薄くないし消える、あるいは変色表示されるように構成する。
【０００９】
この際、目標物は、目標物の外面、内部、内側、あるいは分散して温度が高くなると色が濃く、明度が高く、変色表示、および温度が低くなると色が薄くないし消え、明度が低くないし消え、変色表示、あるいは逆に、温度が低くくなると色が濃く、明度が高く、変色表示、および温度が高くなると色が薄くないし消え、明度が低くないし消え、変色表示される材料を印刷、塗布、混合するようにしている。
【００１０】
また、目標物の温度が高くあるいは低くなると図形、記号、文字の一部が消え、あるいは新たに表示され、あるいは表示されていたものが変色表示されるようにしている。
【００１１】
また、目標物は、２８℃ないし３５℃の高い温度を超えると表示あるいは非表示あるいは変色表示となるようにしている。
【００１２】
また、目標物は、２８℃°ないし３５℃から、５℃ないし１０°以上低い温度になると非表示あるいは表示あるいは変色表示となるようにしている。
【００１３】
また、人感センサを設け、人が放尿して退出したことを該人感センサが検出すると、水洗浄用ノズルから洗浄水を放出して目標物および放尿を洗い流し、目標物の温度が低くなると元の状態に目標物の表示を戻すようにしている。
【００１４】
また、目標物は、着脱可能あるいは交換可能に固定するようにしている。
【発明の効果】
【００１５】
本発明は、便器の放尿する最適な場所に目標物２を配置し、放尿すると温度が上昇して図形が消えたり／見えたり／変色表示させたり動的に変化させ、人の注意を動的に向けさせると共に注意をそらさせないようにし、周囲への飛散を防止することが可能となる。
【発明を実施するための最良の形態】
【００１６】
本発明は、人が放尿する尿を周囲に飛散することなく受け取って収集する便器において、便器に人が放尿する際に、最適な放尿する場所の近傍に固定した目標物であって、目標物は凸状あるいはシート状あるいは板状で、かつ、目標物に向けて放尿されて目標物の温度が上昇すると図形、記号、文字が浮き上がって表示、あるいは表示されていた文字が消えたり／表れたり動的に変化させ、人の注意を動的に向けさせると共に注意をそらさせないようにし、周囲への飛散を防止することを実現した。
【実施例１】
【００１７】
図１は、本発明の１実施例構成図を示す。
【００１８】
図１の（ａ）は全体構成図を示し、図１の（ｂ）は目標物の色／明度の変化例を示す。
【００１９】
図１の（ａ）において、便器１は、人（男性）が放尿して収集するものであって、通常は立った状態で人（男性）が図面上の右前方ないし右下方向に放尿すると、当該放尿を受け取って周囲に飛散しなように収集するものである（公知）。
【００２０】
便器１には、水洗浄用ノズル３、人感センサ４、更に、本願発明の目標物２が設けられている。
【００２１】
目標物２は、人が便器１に放尿する際に、最適な放尿場所の近傍に着脱可能あるいは交換可能に固定したものであって、放尿すると温度が上昇して図形が消えたり、表れたり、変色表示されたりなど動的に変化させ、人の注意を動的に目標物２向けさせて放尿が周囲に飛散しないように防止するためのものである。特に、子供（男性）（あるいは大人でも）は、目標物２に放尿すると目標物２に動的に図形、記号、文字等が表れたり、消えたり、変色表示されたり、一部が表れたり、一部が消えたりするので、面白がって目標物２に向けて放尿することに注意が向き、結果として放尿が便器１の外に飛散することを防止することが可能となる。
【００２２】
水洗浄用ノズル３は、放尿が終わった後に、洗浄水を放出して便器の内側および目標物２を洗浄するためのものである。目標物２が洗浄水で洗浄されると温度が下がって初期状態の表示に戻る。
【００２３】
人感センサ４は、人が便器１に向けて放尿した後、退出したことを検知するセンサであって、例えば常温より高い温度の動く物体を検出し、当該物体からの温度が検出されなくなったときに人が退出したと検出するセンサである（公知）。他に、人の赤外線を検出、超音波などを放射してその反射波を検出して動く物体が退出したことを検出などしてもよい。
【００２４】
放尿５は、人（男性）が便器１に向けてする放尿であって、体温より少し低い温度（〜２８℃〜３５℃）を持つものである。常温あるいは水洗浄用ノズル３から放出される洗浄水４は通常〜２０℃〜の温度を持つものである。したがって、目標物２は、放尿５が該目標物２にあたって温度を〜２８℃〜３５℃になったときに色、明度、表示色が変化する材料を印刷、塗布、混合させておく。これにより、放尿されると目標物２の色、明度、表示色が濃く、明るく、変色表示、あるいは逆に薄く、暗く、変色表示に動的に変化させることが可能となる。
【００２５】
図１の（ｂ）は、目標物２の色／明度の変化例を示す。
【００２６】
図１の（ｂ−１），（ｂ−２），（ｂ−３）は人が放尿５を目標物２に当てると色が濃く、明度が高くなり（（ｂ−２）参照）、人が退出すると色が薄く、明度が低く動的に変化する例を示す。
【００２７】
図１の（ｂ−１）は、待機状態で、目標物２が常温（〜２０℃〜）であり、図示のように目標物２の色が薄く、明度が低い状態を示す。
【００２８】
図１の（ｂ−２）は、放尿状態で、目標物２が放尿５の温度（〜２８℃から３５℃〜）であり、図示のように目標物２の色が濃く、明度が高い状態を示す。
【００２９】
図１の（ｂ−３）は、水洗浄後（待機状態）で、目標物２が洗浄水の温度（〜２０℃〜）であり、図示のように目標物２の色が薄く、明度が低い状態を示す。
【００３０】
以上のように、人が便器１の目標物２に放尿５して当てると、当該目標物２の温度が高くなって当該目標物２の色が濃く、明度が高く、あるいは逆に色が薄く（消え）、明度が低く（消え）るように動的に表示が変化して人の注意を引き付けるので、人は面白がって目標物２に向けて放尿５することを連続して意識的にコントロールし、放尿５の方向がときとしてずれて便器１の外側に飛散する事態を軽減ないし無くすことが可能となる。
【００３１】
尚、目標物２の温度が高くあるいは低くなると該目標物２の表示色を変色表示するようにしてもよい。
【００３２】
次に、図２のフローチャートの順番に従い、図１の構成の動作を詳細に説明する。
【００３３】
図２は、本発明の動作説明フローチャートを示す。
【００３４】
図２において、Ｓ１は、人が目標物に向けて放尿する。これは、図１で、人（男性）が便器１の目標物２に向けて放尿５する。
【００３５】
Ｓ２は、放尿すると目標物の温度が上がる。これは、右側のＳ１１に記載したように、図１で、人が便器１の目標物２に向けて放尿して該目標物２に当たると、その温度が〜２８℃から３５℃に上がる。
【００３６】
Ｓ３は、目標物の色／明度が変化する。これは、右側のＳ１２に記載したように、図１で、人が便器１の目標物２に放尿５を当てると、その温度が〜２８℃から３５℃に上がるので、目標物２の色、明度が動的に変化する。例えば既述した図１の（ｂ−２）に示すように、目標物２の色が濃く、明度が高くなるように動的に変化、あるいは既述した図１の（ｂ−５）に示すように、目標物２の色が薄くないし消える、明度が低くないし消えるように動的に変化する。
【００３７】
Ｓ４は、放尿が終わると人が立ち去り人感センサが働く。
【００３８】
Ｓ５は、水が流れて洗浄する。
【００３９】
Ｓ６は、目標物が冷却されて元の色、明度に戻る。これらＳ４、Ｓ５、Ｓ６は、人が放尿を終わり便器１から立ち去る（退出する）と、人感センサ４が働いて人が退出したことを検出し、水洗浄用ノズル３から洗浄水を放出し、便器１の放尿された部分および目標物２を洗浄する。この洗浄により目標物２の温度が洗浄水の温度（常温、〜２０℃〜）に下がり、当該目標物２の常温状態の表示に戻る（既述した図１の（ｂ−３）あるいは（ｂ−６）参照）。
【００４０】
以上のように、人が図１の便器１の目標物２に向けて放尿し、目標物２に当たると該目標物２の温度が高くなり（〜２８℃から３５℃）、目標物２の色が濃く、明度が高く、変色表示、あるいは逆に薄くないし消える、低くないし消える、変色表示される。更に、一部の目標物２の色、明度が変化、変色表示されることにより、人の興味や注意が目標物２に向き、連続して放尿を該目標物２に当たるように意識的にコントルールするようになり、放尿が周囲に飛散したりする事態を軽減したり、無くしたりすることが可能となる。
【００４１】
図３は、本発明の目標物の説明図を示す。
【００４２】
図３の（ａ）は、目標物２のサーマルインキの印刷場所例を示す。ここでは、説明を判り易くするために、図１の目標物２に示すように、凸状に形成された該目標物２に印刷する例を以下説明する。
【００４３】
図３の（ａ−１）は、表面の例を示す。図１の凸状の目標物２の表面に直接に印刷、あるいは転写フィルムに印刷したものを凸状の表面に転写する。表面に印刷、転写した場合には、放尿５で汚れたり、汚れが付着しない（あるいは付着が極力少なくなる）ように表面をフッ素コーティングやテフロンコーティングなどを施す。
【００４４】
図３の（ａ−２）は、内部の例を示す。図１の凸状の目標物２の内部に印刷したフィルムを挟み込む。
【００４５】
図３の（ａ−３）は、内側の例を示す。図１の凸状の目標物２の内側に直接に印刷、あるいは転写フィルムに印刷したものを内側の表面に転写する。内側に印刷、転写した場合には、放尿５で汚れたり、汚れが付着しない（あるいは付着が極力少なくなる）ように表面をフッ素コーティングなど施す。
【００４６】
以上のように目標物２の表面、内部、内側に目標となる図形、記号、文字等を印刷、転写して該目標物２を作成することが可能となる。そして、図形、記号、文字等が印刷、転写された目標物２は、着脱可能、交換可能な状態で図１の便器１の放尿される最適な場所に固定する。汚れた場合には、新品に交換したり、あるいは取り外して清掃して元に戻したりし、常に動的に変化する表示がきれいに見えるように保守管理を行う。
【００４７】
図３の（ｂ）は、目標物のサーマルインキの色（ＲＧＢ又は組合）の印刷例を示す。
【００４８】
図３の（ｂ−１）は、Ｒ，Ｇ，Ｂ又は組合例を示す。
【００４９】
図３の（ｂ−１）の左側は温度低い（常温で待機状態）場合の表示例であって、赤緑青（ＲＧＢ）が濃く、明るく表示されている。右側は温度が高い（放尿中の状態）場合の表示例であって、うすく表示されている。これは、Ｒ，Ｇ，Ｂに発色する材料（後述する）の１つあるいは２つあるいは３つを混合し（サーマルインキを作成し）、既述した目標物２に印刷、転写して作成した場合の表示を模式的に示す。赤、緑、青の１つ、２つ、３つの色が表示（混合表示）され、所望の色に目標物２を表示させることが可能となる。          
【００５０】
尚、逆に温度が上がると表示が薄く（消える）ようにも、材料を変えることで所望の色の目標物２の表示を薄く（消える）ようにすることも可能である。更に、温度が上がる、下がると、表示色を変色表示することも材料を変えるこことで可能である。
【００５１】
尚、目標物２は、既述したように、着脱可能、交換可能に構成されているが、当該目標物２は、図１の便器１の放尿される最適な場所の近傍に、当該図１のように凸状（お椀状）の他に、シート（ワッペン）、薄い板状、更に、ある程度の厚さのある板状に形成してもよい。着脱可能、交換可能な構成としては、吸盤、両面接着材（水耐性あり、高温（例えば８０℃以上）剥離等）、更に、磁石吸着（便器１の該当部分に磁性体を予め焼き付け、接着剤で固定）等で行う。
【００５２】
図３の（ｂ−２）は、他のＲ，Ｇ，Ｂ又は組合例を示す。
【００５３】
図３の（ｂ−１）の左側は温度低い（常温で待機状態）場合の表示例であって、３重円にクロスが重なった図形中の赤緑青（ＲＧＢ）の部分がそれぞれ濃く、明るく表示されている。右側は温度が高い（放尿中の状態）場合の表示例であって、うすく表示されている。これは、Ｒ，Ｇ，Ｂに発色する材料（後述する）の１つあるいは２つあるいは３つ（サーマルインキ）を、既述した目標物２に印刷、転写して作成した場合の表示を模式的に示す。赤、緑、青の１つ、２つ、３つの色が独立にそれぞれ表示され、所望の色に目標物２を表示させることが可能となる。尚、逆に温度が上がると表示が薄く（消える）ようにも、材料を変えることで所望の色の目標物２の表示を薄く（消える）ようにすることも可能である。
【００５４】
尚、図３の（ｂ−２）の３重の円のうち内側ほど温度が高くなると薄くなるように材料の温度変化点を変えて、中心の円に放尿を促すようにしてもよい（例えば外側の印刷材料は〜２８℃〜＜中間の印刷材料は〜３１℃〜＜中心の印刷材料〜３５℃〜）。
【００５５】
図４は、本発明の目標物のサーマルインキの印刷例を示す。
【００５６】
図４の（ａ）は温度上昇で消える場合の印刷例を示す。
【００５７】
図４の（ａ−１）は、サーマルインキで印刷する。これは、既述した目標物２に温度上昇で消えるサーマルインキで所望の図形、記号、文字等として図示の人が走る姿の図形を印刷する。
【００５８】
図４の（ａ−２）は、温度上昇で消える。これは、図４の（ａ−１）で目標物２に印刷した図形（人が走る図形）に、人が放尿したことで温度が上昇（〜２８℃から３５℃）することで当該図形が消えた状態を示す。
【００５９】
図４の（ａ−３）は、水冷で元に戻る。これは、図４の（ａ−２）の図形が消えた状態で、人が放尿を終わって退出すると、図１の人感センサ４が検出して水洗浄用ノズル３から洗浄水を放出し、放尿を洗い流すと共に目標物２を洗い流して当該目標物２の温度が低下して元の状態の図形（図４の（ａ−１）の図形）を表示する。
【００６０】
以上によって、目標物２に温度上昇すると消えるサーマルインキで図４の（ａ−１）の図形を印刷（転写）して、図１の便器１の目標物２に固定（着脱可能、交換可能）し、人が放尿して当該目標物２にあたって温度上昇すると図４の（ａ−２）のよう図形が消えるので、人が面白がって消えた状態を保持するように目標物２に向けて放尿５を意識的に連続してコントロールすることを促し、結果として放尿５が便器１の外側に飛散して周囲を汚す事態を軽減ないし無くすことが可能となる。
【００６１】
図４の（ｂ）は温度上昇で見える場合の印刷例を示す。
【００６２】
図４の（ｂ−１）は、普通インキで背景印刷、次に、サーマルインキで印刷する。これは、既述した目標物２に普通インキで背景を印刷し、次に温度上昇で見えるサーマルインキで所望の図形、記号、文字等として後述する図４の（ｂ−２）の人が両手を挙げている姿の図形を印刷する。
【００６３】
図４の（ｂ−２）は、温度上昇でパターンが見える。これは、図４の（ｂ−１）で目標物２に、人が放尿したことで温度が上昇（〜２８℃から３５℃）することで当該図形（両手を挙げたいる姿の図形）が見えた状態を示す。
【００６４】
図４の（ｂ−３）は、水冷で元に戻る。これは、図４の（ｂ−２）の図形が見えた状態で、人が放尿を終わって退出すると、図１の人感センサ４が検出して水洗浄用ノズル３から洗浄水を放出し、放尿を洗い流すと共に目標物２を洗い流して当該目標物２の温度が低下して元の状態（図４の（ａ−１）状態）のように図形を見えなくする。
【００６５】
以上によって、目標物２に温度上昇すると見えるサーマルインキで図４の（ａ−２）の図形を印刷（転写）して、図１の便器１の目標物２に固定（着脱可能、交換可能）し、人が放尿して当該目標物２にあたって温度上昇すると図４の（ｂ−２）のよう図形が見えるので、人が面白がって見えた状態を保持するように目標物２に向けて放尿５を意識的に連続してコントロールすることを促し、結果として放尿５が便器１の外側に飛散して周囲を汚す事態を軽減ないし無くすことが可能となる。
【００６６】
尚、サーマルインキとしては、例えば株式会社記録素材総合研究所（商号）のサーマルカラーインキがある。５℃刻みで５℃ないし７５℃の温度範囲で任意の温度、色（カラー）が変色（表示、非表示、変色等）が可能な材料を入手できる。
URL:http://kiroku-s.com/thermal.html（平成２８年８月２６日現在）
尚２、温度が高くあるいは低くなると所望の発色する適当（実用的）な材料が見つからない場合には、普通のインキで背景等を所望の色で印刷しておき、この上に温度が高くあるいは低くなると消えるインキで印刷すれば、温度が高くあるいは低くなるとサーマルインキの色が消えてその下地の予め印刷しておいた背景の色で表示（発色）させたりしてもよい。
【図面の簡単な説明】
【００６７】
【図１】本発明の１実施例構成図である。
【図２】本発明の動作説明フローチャートである。
【図３】本発明の目標物の説明図である。
【図４】本発明の目標物のサーマルインキの印刷例である。
【符号の説明】
【００６８】
１：便器
２：目標物
３：水洗浄用ノズル
４：人感センサ
５：放尿
【図１】
2018035649.tif 000003
【図２】
2018035649.tif 000004
【図３】
2018035649.tif 000005
【図４】
2018035649.tif 000006